(57)【要約】      （修正有）【課題】簡単な操作で、円柱体表面に所定の深さの切込みを入れることができるカッター装置を提供する。【解決手段】一対のカッター部材５０、５１を回転体２により回転し、その間に配設された円柱体７０の表面に対する切込みを加工を行わせるとともに、この一対のカッター部材間の開閉を回動体３により行い、さらに回転体３に対する上述した回動体３の回動制御を回動手段により行わせるようにした【選択図】  図６
2004229443.tif 000002
【特許請求の範囲】
【請求項１】
互いに対向するように配設された一対のカッター部材を、それぞれ軸を中心に回動自在に支承し、全体として一方向へ回転する回転体と、
該回転体内に配設され、前記各カッター部材の一端に係合手段を介して係合し、前記回転体に対し相対的に一方向へ回転して前記各カッター部材を互いに接近させ、また前記回転体に対して相対的に他方向へ回転して前記各カッター部材を離間させるとともに、前記回転体とともに一方向へ回転する回動体と、
該回動体を前記回転体に対して相対的に所定の回転角度回動させる回動手段と
を具えたことを特徴とするカッター装置。
【請求項２】
前記一対のカッター部材は略矩形形状の板体により構成され、互いに対向する一側面には、略くの字形状の刃物部が形成されていることを特徴とする請求項１に記載のカッター装置。
【請求項３】
前記係合手段は、前記カッター部材に形成されたカム溝と、該カム溝に嵌挿し前記回動体に突設された円柱形のカムであることを特徴とする請求項１に記載のカッター装置。
【請求項４】
前記回動手段は、前記回動体と前記回転体に嵌挿する円柱体の伸出棒からなり、該伸出棒の表面には軸方向に沿って直線状の第１のカム溝と軸方向に対し斜めに傾斜した第２のカム溝とがそれぞれ形成され、前記第１のカム溝には、前記回転体内に螺設された円柱形のカムが嵌挿し、また前記第２のカム溝には前記回動体内に螺設された円柱形のカムが嵌挿しており、さらに前記伸出棒には該伸出棒を、その軸方向に沿ってスライド移動する移動手段が配設されていることを特徴とする請求項１に記載のカッター装置。
【請求項５】
前記移動手段は、前記伸出棒の一端に位置決め支承されたガイドバーと、該ガイドバーを前記伸出棒の長手方向に沿ってスライド移動させるスライド手段とからなることを特徴とする請求項４に記載のカッター装置。
【請求項６】
前記スライド手段は、ステッピングモータで構成された駆動モータと、該駆動モータにより回動される雄ネジ部と、該雄ネジ部が螺合する雌ネジ部からなり、前記雌ネジ部は前記ガイドバーの一端に支承されていることを特徴とする請求項５に記載のカッター装置。
【発明の詳細な説明】
【０００１】
【発明の属する技術分野】
この発明は、ケーブル等の円柱体表面に所定の深さの切り込みを入れたり、またこのようなケーブル等の切断を図るカッター装置の改良に関する。
【０００２】
【従来の技術】
従来から、ケーブル等の円柱体、例えば円柱体形状の中心導体と、この中心導体を囲繞するように配設された環状の不導体、この環状の不導体を囲繞するように配設された環状の外部導体、およびこの環状の外部導体を囲繞するように配設された環状の外皮等からなる同軸ケーブルの表面に所定深さの切り込みを入れたり、またこのような構造の同軸ケーブルを含め円柱体形状の物体を切断するカッター装置の一例としてワイヤーストリッパーなどが提供されている。
【０００３】
この従来のワイヤーストリッパーは、鋏形状の一対の刃物工具間にそれぞれ所定の曲率を有する円弧形状の刃物部が形成されたもので、オペレータが、その円弧形状の一対の刃物部間に上述した円柱体形状のケーブルを配置した後、上述した一対の刃物工具の一端に形成された取っ手を握ると上述した一対の円弧形状のカッター部材によりケーブル等の円柱体表面に所定深さの切り込みや、その切断作業が行われる。
【０００４】
【発明が解決しようとする課題】
ところで、上述した従来のカッター装置では、各オペレータ固有の、言わば恣意的な握力で刃物工具を操作するから、その刃物工具による切込み深さが一定にならず、例えば同軸ケーブルの表面に形成された外皮を切除すべく、この外皮の厚さ分だけ切り込みを入れることは極めて困難であり、その内側にある外部導体に損傷を与える虞があった。
【０００５】
この発明は、上述した事情に鑑み、簡単な操作で、円柱体表面に所定の深さの切込みを入れることができるカッター装置を提供することを目的とする。
【０００６】
【課題を解決するための手段】
上述した課題を解決するため、この発明に係わるカッター装置では、互いに対向するように配設された一対のカッター部材を、それぞれ軸を中心に回動自在に支承し、全体として一方向へ回転する回転体と、該回転体内に配設され、前記各カッター部材の一端に係合手段を介して係合し、前記回転体に対し相対的に一方向へ回転して前記各カッター部材を互いに接近させ、また前記回転体に対して相対的に他方向へ回転して前記各カッター部材を離間させるとともに、前記回転体とともに一方向へ回転する回動体と、該回動体を前記回転体に対して相対的に所定の回転角度回動させる回動手段とを具えている。
【０００７】
【発明の実施の形態】
以下、この発明に係わるカッター装置の一実施例を詳述する。
【０００８】
図１は、この発明に係わるカッター装置１を示す概念斜視図で、特に円筒形の回転体２と、この回転体２内に配設された円筒形の回動体３と、この回動体３を前記回転体２に対して相対的に所定の回転角度回動させる回動手段４とを概念的に示したものである。
【０００９】
このうち、回転体２は大径部２ａと小径部２ｂとから構成され、大径部２ａの内部には円筒形の回動体３を回動自在に支承する円筒形の孔２ｃが形成され、その内部には前述した円筒形の回動体３が回動自在に支承されている。そして、その正面２ｄの互いに対向する位置には、後述する一対のカッター部材を回動自在に支承する軸１０、１１が突設されている。
【００１０】
なお、回動体３の正面３ａにも、後述する一対のカッター部材にそれぞれ係合する円柱形のカム２０、２１とが突設されている。
【００１１】
一方、前記回転体２に対して回動体３を所定の回転角度回動させる回動手段４は、前記回動体３に形成された孔３ａと、前記回転体２の小径部２ｂに形成された孔２ｅとに嵌挿する円柱体の伸出棒４ａから構成されている。
【００１２】
この伸出棒４ａの中間部表面には、軸方向に沿って直線状に第１のカム溝３０が形成され、また伸出棒４ａの先端部には、軸方向に対し、やや斜めに傾斜した第２のカム溝３１とがそれぞれ形成されている。
【００１３】
そして、上述した各カム溝３０、３１のうち、一方の直線形のカム溝３０には、回転体２の小径部２ｂ内に螺設された円柱形のカム３２が嵌挿し、また他方のカム溝３１には、回動体３の内部に螺設された円柱形のカム３３が嵌挿している。
【００１４】
一方、上述した伸出棒４ａの後端には当該伸出棒４ａをその軸方向に沿って移動する移動手段５が配設されている。
【００１５】
この移動手段５は、先端７ａが軸受６を介して伸出棒４ａに位置決め支承されたガイドバー７と、該ガイドバー７を伸出棒４ａの長手方向に沿ってスライド移動させるスライド手段８とから構成されている。
【００１６】
このうち、スライド手段８は、図示せぬ制御装置の制御信号により回転角度を細かく設定することのできるステッピングモータで構成された駆動モータ８ａと、この駆動モータ８ａにより回動される雄ネジ部８ｂと、この雄ネジ部８ｂが螺合する雌ネジ部８ｃからなり、この雌ネジ部８ｃは前記ガイドバー７の後端７ｂに支承されている。
【００１７】
このような、移動手段５によると、スライド手段８の駆動モータ８ａが駆動され、これにより矢印Ａのように雄ネジ部８ｂが回動すると、螺合する雌ネジ部８ｃを介して、ガイドバー７が矢印Ｃ、Ｄのように、伸出棒４ａの長手方向に沿って移動する。
【００１８】
このように、ガイドバー７が矢印Ｃ、Ｄのように、伸出棒４ａの長手方向に沿って移動すると、ガイドバー７の先端７ａにより、軸受６を介して伸出棒４ａは矢印Ｅのように前後に移動する。
【００１９】
このように、ガイドバー７の先端７ａにより、軸受６を介して伸出棒４ａが矢印Ｅのように前後に移動すると、この伸出棒４ａの前方表面に形成され、軸方向に対しやや斜めに傾斜した第２のカム溝３１と、これに嵌挿する、回動体３の円柱形のカム３３により、当該回動体３は回転体２に対して、矢印Ｆの如く相対的に回動する。
【００２０】
従って、図１に示す伸出棒４ａの初期位置から、移動手段５により、当該伸出棒４ａが図２の矢印Ｃに示すように、前方に移動するとやや斜めに傾斜した第２のカム溝３１と、これに嵌挿する回動体３の円柱形のカム３３とにより、回動体３は回転体２に対して矢印Ｆの如く相対的に時計方向へ所定の回転角度回転し、円柱形のカム２０、２１を軸１０、１１と同一位置に位置決め設定することとなる。
【００２１】
そして、図２に示す伸出棒４ａの位置から、当該伸出棒４ａが図１に示す初期位置に復帰すると、また、回動体３も図１に示す初期位置に復帰することとなる。
【００２２】
なお、図１に示すように、上述した回転体２および回動対３は、回転駆動手段４０により、全体として、一方向（図の実施例では矢印Ｇの如く時計方向）に回転駆動される。
【００２３】
この回転駆動手段４０は、回転体２の小径部２ｂに固着された従動プーリ４１と、駆動モータ４２の駆動軸４３に固着された駆動プーリ４４とからなり、この従動プーリ４１と駆動プーリ４４とにはベルト４５が巻回されている。
【００２４】
従って、駆動モータ４２が時計方向へ回転すると、駆動および従動プーリ４４、４１とベルト４５を介して回転体２は矢印Ｇの如く時計方向へ回転する。
【００２５】
また、回転体２が矢印Ｇの如く時計方向へ回転すると、伸出棒４ａの中間部に形成された第１のカム溝３０とこれに係合する回転体２のカム３２、および伸出棒４ａの先端に形成された第２のカム溝３１と、それに係合する回動体３のカム３３とにより、回転体２の回転に連動して、回動体３および伸出棒４ａも同期して、全体として矢印Ｇで示す時計方向へ回転することとなる。
【００２６】
なお、伸出棒４ａの後端に配設されたガイドバー７は軸受６を介して連結支承されているので、当該ガイドバー７は伸出棒４ａに連動して回転することは勿論ない。
【００２７】
なお、図１に示すように、回転体２全体は一点鎖線で示す環状の軸受６０により図示せぬは筐体等に回動自在に支承されている。
次に、カッター部材について詳述する。
【００２８】
図３は一対のカッター部材５０、５１を回転体２の軸１０、１１にそれぞれ回動自在に支承させ、また回動体３の円柱形のカム２０、２１をカッター部材５０、５１に形成されたカム溝５０ａ、５１ａにそれぞれ嵌挿させた状態を示す図１の要部正面図である。
【００２９】
この一対のカッター部材５０、５１は略矩形形状の板体により構成され、互いに対向する一側面には、略くの字形状の刃物部５０ｂ、５１ｂが形成されている。
【００３０】
そして、このようなカッター部材５０、５１によると、図３の矢印Ｆで示すように、回動体３が回転体２に対して相対的に時計方向へ回転すると、図４で示すように、一対のカッター部材５０、５１は互いに接近し、その間にある部材、例えばケーブル等の円柱体の表面に略くの字形状の刃物部５０ｂ、５１ｂを漸次圧接させて、その切込みと切断とを行うこととなる。
【００３１】
勿論、この図４に示すカッター部材５０、５１の位置から、回動体３が回転体２に対して相対的に反時計方向へ回転すると、当該カッター部材５０、５１は図３に示す初期位置、すなわち互いの間を離間させた初期位置に復帰することとなる。
【００３２】
次に、上述したカッター装置１の作用を説明し、併せて構成をより詳細に説明する。
【００３３】
図１の要部破断斜視図で示す図５及び図６のように、一対のカッター部材５０、５１間を離間させた初期位置から、その中心部へ向けて矢印Ｉの如く、図示せぬ把持手段により把持された円柱体、例えば同軸ケーブル７０を嵌挿する。
【００３４】
その後、図１に示す回転駆動手段４０を駆動して、回転体２及び回動体３の全体を図６の矢印Ｇで示すように時計方向へ回転させる。
【００３５】
その後、図１に示す回動手段４を構成するステッピングモータからなる駆動モータ８ａを駆動すると、当該駆動モータ８ａの回転量に対応して移動する伸出棒４ａと、この伸出棒４ａに形成された第２の傾斜カム溝３１およびこれに嵌挿する回動体３の円柱形のカム３３とにより、当該回動体３は図７で示すように回転体２に対して矢印Ｆの如く駆動モータ８ａの回転量に応じて時計方向へ回転し、一対のカッター部材５０、５１の刃物部５０ｂ、５１ｂをケーブル７０の周面に漸次圧接させて、図８の如くケーブル７０の表面７０ａに切込みを入れる。
【００３６】
その際、一対のカッター部材５０、５１の刃物部５０ｂ、５１ｂは、ステッピングモータで構成された駆動モータ８ａ（図１）の回転量に応じ、正確な回転角度を持って互いに接近するので、その切込み量は正確に制御されることとなる。
【００３７】
従って、例えばケーブル７０が同軸ケーブルであった場合は、一対のカッター部材５０、５１の刃物部５０ｂ、５１ｂによって、その外皮の厚さ分だけ正確に切込みを入れて、その下層にある外部導体に対し誤って切り込みを入れる等の誤操作を可及的に排除することができる。
【００３８】
なお、図９で示すように、円柱形のカム２０、２１を軸１０、１１と同一位置に至るまで回動体３を回転させると一対のカッター部材５０、５１が互いに平行となって一対の刃物部５０ｂ、５１ｂ間を閉塞し、これによりケーブル７０を完全に切断することができる。
【００３９】
【発明の効果】
以上説明したように、この発明のカッター装置では、一対のカッター部材を回転体により回転し、その間に配設された円柱体の表面に対する切込みを加工を行わせるとともに、この一対のカッター部材間の開閉を回動体により行い、さらに回転体に対する上述した回動体の回動制御を回動手段により行わせるようにしたから、簡単な操作によって、円柱体表面に正確に所定の深さの切込みを入れることができ、このため、例えば複数の層からなる同軸ケーブル等の円柱体の表面から適宜厚さの外皮、外部導体、不導体等を切り取る等の切込み加工作業をより正確、かつ簡単に行うことができる。
【図面の簡単な説明】
【図１】図１はこの発明に係るカッター装置の概念斜視図。
【図２】図１はこの発明に係るカッター装置の作用を示す概念斜視図。
【図３】図３はカッター部材の動作を示す正面図。
【図４】図４ははカッター部材の動作を示す正面図。
【図５】図５はこの発明に係るカッター装置の作用を示す要部破断斜視図。
【図６】図６はこの発明に係るカッター装置の作用を示す要部破断斜視図。
【図７】図７はこの発明に係るカッター装置の作用を示す正面図。
【図８】図７はこの発明に係るカッター装置の作用を示す正面図。
【図９】図９はこの発明に係るカッター装置の作用を示す正面図。
【符号の説明】
１…カッター装置
２…回転体
３…回動体
４…回動手段
４ａ…伸出棒
５…移動手段
７…ガイドバー
８…スライド手段
８ａ…駆動モータ
８ｂ…雄ネジ部
８ｃ…雌ネジ部
２０、２１…カム
３０…第１のカム溝
３１…第２のカム溝
３２、３３…カム
５０、５１…カッター部材
５０ｂ、５１ｂ…刃物部
５０ａ、５１ａ…カム溝
【図１】
2004229443.tif 000003
【図２】
2004229443.tif 000004
【図３】
2004229443.tif 000005
【図４】
2004229443.tif 000006
【図５】
2004229443.tif 000007
【図６】
2004229443.tif 000008
【図７】
2004229443.tif 000009
【図８】
2004229443.tif 000010
【図９】
2004229443.tif 000011